(57)【要約】【課題】障子を走行自在に支持する枠体において方立を簡易且つ正確に固定できるようにする。【解決手段】下枠５に対して方立８を固定する際に、方立８内側のコーナー部８ｃにおいて、下枠５の長手方向中間部端縁５ａに対して方立８の一方側板部８ａとともに、Ｌ字形状に一方側当接部１０と他方側当接部１１とから一体に形成する補強材９の一方側当接部１０を同時に固定することで、補強材９の他方側当接部１１は方立８の他方側板部８ｂを内側より当接して支持するので、方立の内倒れを防いで、方立の変形を防止することができる。【選択図】図１
2010084347.tif 000002
【特許請求の範囲】
【請求項１】
障子と障子を開閉自在に支持する枠体を備え、枠体は、上枠と、下枠と、戸先側縦枠と、戸尻側縦枠及び戸先側縦枠と戸尻側縦枠との中間に位置して上枠と下枠との間に固定される方立とを有し、
下枠は、長手方向の中間部から戸尻側縦枠に亘って一部を切除して長手方向中間部端縁を形成してあり、
方立は、見込み方向の一方側に延出する一方側板部と下枠の長手方向に沿って延出する他方側板部とで断面略Ｌ字形状に形成してあるとともに、一方側板部と他方側板部とのコーナー部の内周側に補強材を有し、一方側板部の下端を下枠の長手方向中間部端縁に固定してあり、
補強材は、方立の一方側板部に当接する一方側当接部と方立の他方側板部に当接する他方側当接部とを有するとともに、一方側当接部を方立の一方側板部とともに下枠の長手方向中間部端縁に固定してあり、他方側当接部が方立の他方側板部に当接していることを特徴とする引き戸。
【請求項２】
他方側当接部の当接面が、方立のコーナー部から他方側板部の先端に向かって見込み方向の他方側に傾斜していることを特徴とする請求項１記載の引き戸。
【発明の詳細な説明】
【技術分野】
【０００１】
本願発明は、例えばユニット構造の浴室において、その出入口を構成する浴室用の引き戸に関するものである。
【背景技術】
【０００２】
ユニット構造の浴室の出入口を構成する浴室用の片引き戸のサッシ枠は、上枠と下枠及び両側の縦枠から方形状に組まれ、両縦枠の中間部位置に縦枠に平行に縦骨が配置され、縦骨の見込み方向の片側を走行する片引き戸を収容し、下枠は戸先側縦枠の見込み幅に相当する見込み幅を持つ一本の形材の内、縦骨から戸尻側縦枠までの区間に亘り、見込み方向に縦骨よりの部分が切り落とされた形をしている。そして、この下枠の切り落とされた部分に縦骨が固定されている（特許文献１参照）。
【０００３】
しかし、サッシ枠を構成する下枠に対して縦骨を固定する際に、縦骨の一部が内倒れを起こし、縦骨が変形することがある。その結果、下枠に固定された縦骨と縦骨に固定されるパネルとの間に空隙が生じ、水密性が低下してしまうおそれがある。
【０００４】
そのため、片引戸本体を開閉自在に支持する枠体が、上枠と下枠と戸先側縦枠と戸尻側縦枠の中間に位置する縦骨とを備えた浴室用片引戸の下枠を、見込み方向において、戸先側縦枠及び縦骨間に配設した浴室側下枠部と、戸先側縦枠及び戸尻側縦枠間に配設され片引戸本体を案内する脱衣室側下枠部とを有し、縦骨は、浴室側下枠部および脱衣室側下枠部に対し縦通しで設けられ、且つ浴室側下枠部及び脱衣室側下枠部を支持してなるものがある（特許文献２参照）。
【０００５】
この下枠は浴室側下枠部および脱衣室側下枠部から構成されるものであって、縦骨は下枠を構成する浴室側下枠部および脱衣室側下枠部に対して互いに直角方向に固定されるので、下枠に対して縦骨を固定しても縦骨の内倒れを防いで、縦骨の変形を防止することができる。
ところが、下枠は浴室側下枠部および脱衣室側下枠部より構成されるため構造が複雑となり、しかも部材点数が多くなる。その結果、製造作業における作業性は低下してしまう結果、製造コストが上昇するものとなる。
【特許文献１】特開平１１−１４１２３４号公報
【特許文献２】特許第３５５４６８８号公報
【発明の開示】
【発明が解決しようとする課題】
【０００６】
解決しようとする問題点は、引き戸の下枠と方立との固定に際して、簡易且つ確実に方立の内倒れを防止しようとするものである。
【課題を解決するための手段】
【０００７】
第１の特徴として、
障子と障子を開閉自在に支持する枠体を備え、枠体は、上枠と、下枠と、戸先側縦枠と、戸尻側縦枠及び戸先側縦枠と戸尻側縦枠との中間に位置して上枠と下枠との間に固定される方立とを有し、
下枠は、長手方向の中間部から戸尻側縦枠に亘って一部を切除して長手方向中間部端縁を形成してあり、
方立は、見込み方向の一方側に延出する一方側板部と下枠の長手方向に沿って延出する他方側板部とで断面略Ｌ字形状に形成してあるとともに、一方側板部と他方側板部とのコーナー部の内周側に補強材を有し、一方側端部の下端を下枠の長手方向中間部端縁に固定してあり、
補強材は、方立の一方側板部に当接する一方側当接部と方立の他方側板部に当接する他方側当接部とを有するとともに、一方側当接部を方立の一方側板部とともに下枠の長手方向中間部端縁に固定してあり、他方側当接部が方立の他方側板部に当接しているものである。
【０００８】
更に、第２の特徴は、第１の特徴を踏まえて、
他方側当接部の当接面が、方立のコーナー部から他方側板部の先端に向かって見込み方向の他方側に傾斜しているものである。
【０００９】
そのため、下枠の中間部端縁に対して、方立のコーナー部の内周側において補強材の一方側当接部を方立の一方側板部とともに固定することで、補強材の他方側当接部が方立の他方側板部に対して内側から当接する。その結果、方立の他方側板部に対して当接する補強材の他方側当接部の当接面は、方立の他方側板部を内側から支持して内倒れを防いで方立の変形を防止することができる。
【発明の効果】
【００１０】
本願発明の引き戸は、枠体の下枠に対して方立の一方側板部とともに固定される補強材の他方側当接部によって方立の他方側板部を内側から支持して方立の内倒れを防いで方立の変形を防止することができるので、引き戸の枠体を正確に構成して下枠と方立との間の水密性を十分に確保するとともに、枠体の製造作業における作業性を著しく向上させることができる優れた効果を有するものである。
【００１１】
特に、他方側当接部の当接面を、方立のコーナー部から他方側板部の先端に向かって見込み方向の他方側に傾斜させることで、方立の他方側板部に対して当接する補強材の他方側当接部の当接面は、方立の他方側板部を内側から外側に押圧するように支持するものとなる。その結果、方立の内倒れを防いで方立の変形をより確実に防止することができる優れた効果も有するものである。
【発明を実施するための最良の形態】
【００１２】
以下、本願発明の実施の形態を図面に基づいて説明する。
図５は、ユニット構造の浴室の開口部Ａにおいて、本願発明の引き戸１の適用した場合の浴室側からの正面図である。
【００１３】
本願発明の引き戸１は、障子２と障子２を開閉自在に支持する枠体３を備え、上枠４と、下枠５と、戸先側縦枠６と、戸尻側縦枠７及び戸先側縦枠６と戸尻側縦枠７の中間に位置して上枠４と下枠５との間に固定される方立８とを有するものである。
【００１４】
そして、障子２を開閉自在に支持する枠体３は、ユニット構造の浴室の開口部Ａにおいて水密性を確保しながら固定されるものである。
【００１５】
まず、枠体３を構成する下枠５は、レール１２に沿って枠体３を構成する戸先側縦枠６と戸尻側縦枠７との中間に位置する方立８から戸尻側縦枠７に亘り、一部を切除して長手方向中間部端縁５ａを形成してなるものである。
また、方立８は、見込み方向の一方側に延出する一方側板部８ａと下枠５の長手方向に沿って延出する他方側板部８ｂとで断面Ｌ字形状に形成するものであって、一方側板部８ａと他方側板部８ｂとのコーナー部８ｃの内周側に補強材９を有し、一方側板部８ａの下端では下枠５の長手方向中間部端縁５ａに対して一体に固定されるものである。
さらに、補強材９は、Ｌ字形状に板体の一方側当接部１０と板体の他方側当接部１１とから一体に形成するものであり、一方側当接部１０においては下枠５の長手方向中間部端縁５ａに対して固定する締結材１３を挿嵌する取付孔１０ａが穿設され、他方側当接部１１には、方立８の他方側板部８ｂに内側から当接する当接面１１ａが形成されている。その上、両当接部１０、１１によって補強材９を一体に形成するにあたり、一方側当接部１０に対して他方側当接部１１をＬ字形状、即ち互いに直角となるように配置して一体に接合するものである。しかも、補強材９の他方側当接部１１の当接面１１ａは、図（４）において明らかなように、補強材９の一方側当接部１０におけるコーナー部８ｃ側の端縁から他方側当接部１１の先端方向に延ばした一方側当接部１０に対する垂線（方立８の他方側板部８ｂの仮想位置を点線で示す。）に対して他方当接部１１の先端に向う程に当接面１１ａが徐々に突出している。即ち、補強材９の他方側当接部１１の当接面１１ａは、方立８のコーナー部８ｃから他方側板部８ｂの先端に向かって見込み方向の他方側に傾斜して形成されている。
【００１６】
以上のように本願発明の引き戸１の枠体３は構成されるので、下枠５に対して方立８を固定するにあたって、方立８内側のコーナー部８ｃにおいて、下枠５に対して補強材９の一方側当接部１０を方立８の一方側板部８ａとともに固定すると、補強材９の他方側当接部１１の当接面１１ａは方立８の他方側板部８ｂに対して内側から当接するものとなる。その結果、他方側当接部１１の当接面１１ａを当接させる補強材９は、方立８の他方側板部８ｂを内側から支持して内倒れを防いで、方立８の変形を防止することができる。
【００１７】
特に、補強材９の他方側当接部１１の当接面１１ａは、方立８のコーナー部８ｃから他方側板部８ｂの先端に向かって見込み方向の他方側に傾斜しているので、方立８の他方側板部８ｂに対して外側に向け押圧するように内側から当接するものとなる。その結果、当接する補強材９の他方側当接部１１は、当接面１１ａを方立８の他方側板部８ｂを内側から外側に押圧するように支持して内倒れを防いで、方立８の変形をより確実に防止することができるものである。
【図面の簡単な説明】
【００１８】
【図１】本願発明に係る引き戸のＡ−Ａ横断面図である。
【図２】本願発明に係る引き戸の下枠と方立との固定部における要部拡大横断面図である。
【図３】本願発明に係る引き戸の下枠と方立との固定部における要部拡大縦断面図である。
【図４】（イ）本願発明に係る引き戸の補強材の正面図、（ロ）本願発明に係る引き戸の補強材の側面図である。
【図５】本願発明に係る引き戸を適用した浴室の開口部の浴室側からの正面図である。
【符号の説明】
【００１９】
１    引き戸
２    障子
３    枠体
４    上枠
５    下枠
５ａ    長手方向中間部端縁
６    戸先側縦枠
７    戸尻側縦枠
８    方立
８ａ    一方側板部
８ｂ    他方側板部
８ｃ    コーナー部
９    補強材
１０    一方側当接部
１０ａ    取付孔
１１    他方側当接部
１１ａ    当接面
１２    レール
１３    締結材
Ａ  （ユニット構造の浴室の）開口部
【図１】
2010084347.tif 000003
【図２】
2010084347.tif 000004
【図３】
2010084347.tif 000005
【図４】
2010084347.tif 000006
【図５】
2010084347.tif 000007